(57)【要約】  ユーザ端末は、Ｄ２Ｄ近傍サービスをサポートする移動通信システムにおいて、第１周波数で運用されている第１セルに在圏する。ユーザ端末は、第１周波数とは異なる第２周波数の無線リソースを用いて、第１セルとは異なる第２セルに在圏する近傍端末を発見するためのＤｉｓｃｏｖｅｒｙ信号を送信する送信部を備える。第２周波数の無線リソースは、上りリンクに専用で用いられる無線リソースである。
2015170729.tif 000002
【特許請求の範囲】
【請求項１】
Ｄ２Ｄ近傍サービスをサポートする移動通信システムにおいて、第１周波数で運用されている第１セルに在圏するユーザ端末であって、
前記第１周波数とは異なる第２周波数の無線リソースを用いて、前記第１セルとは異なる第２セルに在圏する近傍端末発見のためのＤｉｓｃｏｖｅｒｙ信号を送信する送信部を備え、
前記第２周波数の無線リソースは、上りリンクに専用で用いられる無線リソースであることを特徴とするユーザ端末。
【請求項２】
前記第２周波数の無線リソースは、前記第１セルを前記ユーザ端末のプライマリセルとした場合に、前記ユーザ端末のセカンダリセルの無線リソースとして構成され、
前記セカンダリセルは、前記第２周波数で運用され、かつ、上りリンクに専用のセルであり、前記第１セルを形成する基地局によって構成されることを特徴とする請求項１に記載のユーザ端末。
【請求項３】
前記第２周波数の無線リソースは、前記Ｄ２Ｄ近傍サービスに専用の下りリンク制御情報によってスケジューリングされ、
前記下りリンク制御情報は、前記第１セルを形成する基地局から送信されることを特徴とする請求項１に記載のユーザ端末。
【請求項４】
前記送信部は、前記第１セルで用いる同期情報を用いて、前記Ｄｉｓｃｏｖｅｒｙ信号を送信することを特徴とする請求項１に記載のユーザ端末。
【請求項５】
前記送信部は、前記第１セルを形成する基地局に対して、前記第２周波数の無線リソースの割り当てを要求する割当要求を送信することを特徴とする請求項１に記載のユーザ端末。
【請求項６】
少なくとも第１周波数で運用されている第１セルを形成する基地局であって、
前記第１セルに在圏するユーザ端末に対して、前記第１周波数とは異なる第２周波数の無線リソースを割り当てる制御部を備え、
前記第２周波数の無線リソースは、上りリンクに専用で用いられる無線リソースであることを特徴とする基地局。
【請求項７】
前記第２周波数の無線リソースは、Ｄ２Ｄ近傍サービスにおいて前記第１セルとは異なる第２セルに在圏する近傍端末を発見するためのＤｉｓｃｏｖｅｒｙ信号の送信に用いられることを特徴とする請求項６に記載の基地局。
【請求項８】
前記第２周波数は、前記第１セルのカバレッジよりも狭いカバレッジを有する第２セルで用いられる周波数であり、
前記第２周波数の無線リソースは、前記第２セルを管理する基地局に対して、前記ユーザ端末の存在を知らせるために用いる信号の送信に用いられることを特徴とする請求項６に記載の基地局。
【請求項９】
Ｄ２Ｄ近傍サービスをサポートする移動通信システムにおいて、第１周波数で運用されている第１セルに在圏するユーザ端末であって、
前記第１セルを形成する基地局に対して、前記Ｄ２Ｄ近傍サービスに興味がある旨を示すＤ２Ｄ興味通知を送信する送信部を備えることを特徴とするユーザ端末。
【請求項１０】
前記送信部は、前記第１周波数で前記Ｄ２Ｄ近傍サービスが提供されておらず、前記第１周波数とは異なる第２周波数で前記Ｄ２Ｄ近傍サービスが提供されている場合に、前記Ｄ２Ｄ興味通知を送信することを特徴とする請求項９に記載のユーザ端末。
【請求項１１】
前記Ｄ２Ｄ近傍サービスが提供される周波数を示す情報は、前記第１セルを形成する基地局から報知されることを特徴とする請求項１０に記載のユーザ端末。
【請求項１２】
前記Ｄ２Ｄ興味通知は、前記ユーザ端末が興味を有する前記Ｄ２Ｄ近傍サービスの種類を示す情報を含むことを特徴とする請求項９に記載のユーザ端末。
【請求項１３】
前記第１周波数とは異なる第２周波数で前記Ｄ２Ｄ近傍サービスが提供されている場合に、前記第１周波数から前記第２周波数への遷移を指示するメッセージを前記基地局から受信する受信部を備えることを特徴とする請求項９に記載のユーザ端末。
【請求項１４】
前記ユーザ端末が自身のＤｉｓｃｏｖｅｒｙの機能性を有効化又は無効化する場合、前記送信部は、前記基地局に前記Ｄ２Ｄ興味通知を送信することを特徴とする請求項９に記載のユーザ端末。
【請求項１５】
Ｄ２Ｄ近傍サービスをサポートする移動通信システムにおいて、第１周波数で運用されている第１セルに在圏するユーザ端末であって、
サービング周波数である前記第１周波数で受信を行うための第１の受信機と、
前記第１周波数とは異なる第２周波数で受信を行うための第２の受信機と、
前記第２周波数で他のユーザ端末から送信されるＤｉｓｃｏｖｅｒｙ信号を前記第２の受信機により監視する制御部と、
を備えることを特徴とするユーザ端末。
【請求項１６】
Ｄ２Ｄ近傍サービスをサポートする移動通信システムにおいて、第１周波数で運用されている第１セルに在圏するユーザ端末であって、
サービング周波数である前記第１周波数で送信を行うための第１の送信機と、
前記第１周波数とは異なる第２周波数で送信を行うための第２の送信機と、
前記第２周波数で前記第２の送信機により他のユーザ端末に対してＤｉｓｃｏｖｅｒｙ信号を送信する処理を行う制御部と、
を備えることを特徴とするユーザ端末。
【発明の詳細な説明】
【技術分野】
【０００１】
本発明は、移動通信システムにおいて用いられるユーザ端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。【０００３】
Ｄ２Ｄ近傍サービス（Ｄ２Ｄ  ＰｒｏＳｅ）は、互いに同期する複数のユーザ端末によって形成される同期クラスタ内において直接的な端末間通信を提供するサービスである。Ｄ２Ｄ近傍サービスは、近傍端末を発見する発見手順（Ｄｉｓｃｏｖｅｒｙ）と、直接的な端末間通信であるＤ２Ｄ通信（Ｃｏｍｍｕｎｉｃａｔｉｏｎ）とを含む。【０００４】
第１セルに在圏するユーザ端末が第１セルの周囲に設けられる第２セルに在圏する近傍端末を発見するための発見手順は、セル間発見手順（Ｉｎｔｅｒ−Ｃｅｌｌ  Ｄｉｓｃｏｖｅｒｙ）と称される。第１セルに在圏するユーザ端末が第２セルに在圏する近傍端末と行うＤ２Ｄ通信は、セル間Ｄ２Ｄ通信（Ｉｎｔｅｒ−Ｃｅｌｌ  Ｃｏｍｍｕｎｉｃａｔｉｏｎ）と称される。【０００５】
しかしながら、第１セルで運用されている周波数と第２セルで運用されている周波数とが異なるケースにおいては、セル間発見手順でユーザ端末が近傍端末を発見するためにＤｉｓｃｏｖｅｒｙ信号を送信しても、近傍端末がＤｉｓｃｏｖｅｒｙ信号を受信することができない。従って、このようなケースにおいて、セル間発見手順を適切に行う手順が望まれている。
【先行技術文献】
【非特許文献】
【０００６】
【非特許文献１】３ＧＰＰ技術報告書  「ＴＲ  ３６．８４３  Ｖ１２．０．１」  ２０１４年３月
【発明の概要】
【０００７】
第１の側面は、Ｄ２Ｄ近傍サービスをサポートする移動通信システムにおいて、第１周波数で運用されている第１セルに在圏するユーザ端末であって、前記第１周波数とは異なる第２周波数の無線リソースを用いて、前記第１セルとは異なる第２セルに在圏する近傍端末発見のためのＤｉｓｃｏｖｅｒｙ信号を送信する送信部を備え、前記第２周波数の無線リソースは、上りリンクに専用で用いられる無線リソースであることを要旨とする。
【０００８】
第２の側面は、少なくとも第１周波数で運用されている第１セルを形成する基地局であって、前記第１セルに在圏するユーザ端末に対して、前記第１周波数とは異なる第２周波数の無線リソースを割り当てる制御部を備え、前記第２周波数の無線リソースは、上りリンクに専用で用いられる無線リソースであることを要旨とする。
【０００９】
第３の側面は、Ｄ２Ｄ近傍サービスをサポートする移動通信システムにおいて、第１周波数で運用されている第１セルに在圏するユーザ端末であって、前記第１セルを形成する基地局に対して、前記Ｄ２Ｄ近傍サービスに興味がある旨を示すＤ２Ｄ興味通知を送信する送信部を備えることを要旨とする。
【００１０】
第４の側面は、Ｄ２Ｄ近傍サービスをサポートする移動通信システムにおいて、第１周波数で運用されている第１セルに在圏するユーザ端末であって、サービング周波数である前記第１周波数で受信を行うための第１の受信機と、前記第１周波数とは異なる第２周波数で受信を行うための第２の受信機と、前記第２周波数で他のユーザ端末から送信されるＤｉｓｃｏｖｅｒｙ信号を前記第２の受信機により監視する制御部と、を備えることを要旨とする。
【００１１】
第５の側面は、Ｄ２Ｄ近傍サービスをサポートする移動通信システムにおいて、第１周波数で運用されている第１セルに在圏するユーザ端末であって、サービング周波数である前記第１周波数で送信を行うための第１の送信機と、前記第１周波数とは異なる第２周波数で送信を行うための第２の送信機と、前記第２周波数で前記第２の送信機により他のユーザ端末に対してＤｉｓｃｏｖｅｒｙ信号を送信する処理を行う制御部と、を備えることを要旨とする。
【図面の簡単な説明】
【００１２】
【図１】第１実施形態に係るＬＴＥシステムの構成図である。
【図２】第１実施形態に係るＵＥ１００のブロック図である。
【図３】第１実施形態に係るｅＮＢ２００のブロック図である。
【図４】第１実施形態に係る無線インターフェイスのプロトコルスタック図である。
【図５】第１実施形態に係るＬＴＥシステムで使用される無線フレームの構成図である。
【図６】第１実施形態に係る動作環境を示す図である。
【図７】第１実施形態に係る動作環境を示す図である。
【図８】第１実施形態に係る動作環境を示す図である。
【図９】第１実施形態に係る動作を示すシーケンス図である。
【図１０】第１実施形態に係る動作を示すシーケンス図である。
【図１１】変更例１に係る動作を示すシーケンス図である。
【図１２】変更例３に係る動作を示すシーケンス図である。
【図１３】変更例３に係る動作を示すシーケンス図である。
【図１４】変更例４に係る動作環境を示す図である。
【発明を実施するための形態】
【００１３】
［実施形態の概要］
実施形態に係るユーザ端末は、Ｄ２Ｄ近傍サービスをサポートする移動通信システムにおいて、第１周波数で運用されている第１セルに在圏する。ユーザ端末は、前記第１周波数とは異なる第２周波数の無線リソースを用いて、前記第１セルとは異なる第２セルに在圏する近傍端末発見のためのＤｉｓｃｏｖｅｒｙ信号を送信する送信部を備える。前記第２周波数の無線リソースは、上りリンクに専用で用いられる無線リソースである。
【００１４】
実施形態では、「上りリンクに専用で用いられる第２周波数の無線リソース」という新たな概念を導入するとともに、ユーザ端末は、第２周波数の無線リソースを用いて、Ｄｉｓｃｏｖｅｒｙ信号を送信する。これによって、第１セルで運用されている周波数と第２セルで運用されている周波数とが異なるケースであっても、近傍端末がＤｉｓｃｏｖｅｒｙ信号を受信することができ、セル間発見手順を適切に行うことができる。
【００１５】
実施形態に係るユーザ端末は、Ｄ２Ｄ近傍サービスをサポートする移動通信システムにおいて、第１周波数で運用されている第１セルに在圏する。ユーザ端末は、前記第１セルを形成する基地局に対して、前記Ｄ２Ｄ近傍サービスに興味がある旨を示すＤ２Ｄ興味通知を送信する送信部を備える。
【００１６】
実施形態では、「Ｄ２Ｄ近傍サービスに興味がある旨を示すＤ２Ｄ興味通知」という新たな概念を導入するとともに、ユーザ端末は、第１セルを形成する基地局に対して、Ｄ２Ｄ興味通知を送信する。言い換えると、Ｄ２Ｄ近傍サービスが提供されている周波数に対するユーザ端末の遷移（ハンドオーバ又はセルリセレクション）を行うための判断材料が基地局に提供される。従って、複数のユーザ端末が在圏するセルの周波数が互いに異なる場合であっても、複数のユーザ端末が在圏するセルの周波数をＤ２Ｄ近傍サービスが提供されている周波数に揃えることができ、セル間発見手順を適切に行うことができる。
【００１７】
［第１実施形態］
以下において、移動通信システムとして、３ＧＰＰ規格に基づいたＬＴＥシステムを例に挙げて、第１実施形態を説明する。
【００１８】
（１）システム構成
先ず、第１実施形態に係るＬＴＥシステムのシステム構成について説明する。図１は、第１実施形態に係るＬＴＥシステムの構成図である。
【００１９】
図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２０】
ＵＥ１００は、ユーザ端末に相当する。ＵＥ１００は、移動型の通信装置であり、ｅＮＢ２００によって形成されるセル（ＵＥ１００がコネクティッド状態である場合には、サービングセル）との無線通信を行う。ＵＥ１００の構成については後述する。
【００２１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２２】
ｅＮＢ２００は、１又は複数のセルを形成しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２３】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。なお、Ｅ−ＵＴＲＡＮ１０及びＥＰＣ２０は、ＬＴＥシステムのネットワークを構成する。
【００２４】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサとしてもよい。
【００２５】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００２６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、受け付けた操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００２７】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）とを含む。プロセッサ１６０は、さらに、音声・映像信号の符号化・復号を行うコーデックを含んでもよい。プロセッサ１６０は、後述する各種の処理及び各種の通信プロトコルを実行する。
【００２８】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００２９】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３１】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵとを含む。プロセッサ２４０は、後述する各種の処理及び各種の通信プロトコルを実行する。
【００３２】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３３】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００３４】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３５】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００３６】
ＰＤＣＰ層は、ヘッダ圧縮・伸張、及び暗号化・復号化を行う。
【００３７】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３８】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００３９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４０】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４１】
（２）Ｄ２Ｄ近傍サービス
以下において、Ｄ２Ｄ近傍サービスについて説明する。第１実施形態に係るＬＴＥシステムは、Ｄ２Ｄ近傍サービスをサポートする。
【００４２】
Ｄ２Ｄ近傍サービス（Ｄ２Ｄ  ＰｒｏＳｅ）は、互いに同期する複数のＵＥ１００によって形成される同期クラスタ内において直接的なＵＥ間通信を可能とするサービスである。Ｄ２Ｄ近傍サービスは、近傍ＵＥを発見する発見手順（Ｄｉｓｃｏｖｅｒｙ）と、直接的なＵＥ間通信であるＤ２Ｄ通信（Ｃｏｍｍｕｎｉｃａｔｉｏｎ）とを含む。Ｄ２Ｄ通信は、Ｄｉｒｅｃｔ  ｃｏｍｍｕｎｉｃａｔｉｏｎとも称される。
【００４３】
同期クラスタを形成する全てのＵＥ１００が１以上のセルのカバレッジ内に位置するシナリオを「カバレッジ内（Ｉｎ  ｃｏｖｅｒａｇｅ）」という。同期クラスタを形成する全てのＵＥ１００が１以上のセルのカバレッジ外に位置するシナリオを「カバレッジ外（Ｏｕｔ  ｏｆ  ｃｏｖｅｒａｇｅ）」という。同期クラスタを形成する複数のＵＥ１００のうち、一部のＵＥ１００が１以上のセルのカバレッジ内に位置し、残りのＵＥ１００が１以上のセルのカバレッジ外に位置するシナリオを「部分的カバレッジ（Ｐａｒｔｉａｌ  ｃｏｖｅｒａｇｅ）」という。
【００４４】
カバレッジ内では、ｅＮＢ２００がＤ２Ｄ同期元となる。Ｄ２Ｄ非同期元は、Ｄ２Ｄ同期信号を送信せずにＤ２Ｄ同期元に同期する。Ｄ２Ｄ同期元であるｅＮＢ２００は、Ｄ２Ｄ近傍サービスに使用可能な無線リソース（リソースプール）を示すＤ２Ｄリソース情報を含むブロードキャスト信号を報知する。Ｄ２Ｄリソース情報は、例えば、発見手順用のリソースプールを示す情報（Ｄｉｓｃｏｖｅｒｙリソース情報）及びＤ２Ｄ通信用のリソースプールを示す情報（Ｃｏｍｍｕｎｉｃａｔｉｏｎリソース情報）を含む。Ｄ２Ｄ非同期元であるＵＥ１００は、ｅＮＢ２００から受信するＤ２Ｄリソース情報に基づいて、発見手順及びＤ２Ｄ通信を行う。
【００４５】
カバレッジ外又は部分的カバレッジでは、ＵＥ１００がＤ２Ｄ同期元となる。カバレッジ外では、Ｄ２Ｄ同期元であるＵＥ１００は、Ｄ２Ｄ近傍サービスに使用可能な無線リソース（リソースプール）を示すＤ２Ｄリソース情報を送信する。Ｄ２Ｄリソース情報は、例えば、Ｄ２Ｄ同期信号に含まれる。Ｄ２Ｄ同期信号は、端末間同期を確立する同期手順において送信される信号である。Ｄ２Ｄ同期信号は、Ｄ２Ｄ  ＳＳ及び物理Ｄ２Ｄ同期チャネル（ＰＤ２ＤＳＣＨ）を含む。Ｄ２Ｄ  ＳＳは、時間及び周波数の同期基準を提供する信号である。ＰＤ２ＤＳＣＨは、Ｄ２Ｄ  ＳＳよりも多くの情報を搬送する物理チャネルである。ＰＤ２ＤＳＣＨは、上述したＤ２Ｄリソース情報（Ｄｉｓｃｏｖｅｒｙリソース情報、Ｃｏｍｍｕｎｉｃａｔｉｏｎリソース情報）を搬送する。或いは、Ｄ２Ｄ  ＳＳにＤ２Ｄリソース情報を予め関連付けることによって、ＰＤ２ＤＳＣＨの送信が省略されてもよい。
【００４６】
発見手順は、主にＤ２Ｄ通信をユニキャストで行う場合に利用される。第１のＵＥ１００が第２のＵＥ１００とのＤ２Ｄ通信を開始するケースにおいて、第１のＵＥ１００は、発見手順用のリソースプールのうち何れかの無線リソースを用いて、Ｄｉｓｃｏｖｅｒｙ信号を送信する。一方で、第２のＵＥ１００が第１のＵＥ１００とのＤ２Ｄ通信を開始するケースにおいて、第２のＵＥ１００は、発見手順用のリソースプール内でＤｉｓｃｏｖｅｒｙ信号をスキャンすることによってＤｉｓｃｏｖｅｒｙ信号を受信する。Ｄｉｓｃｏｖｅｒｙ信号は、第１のＵＥ１００がＤ２Ｄ通信に使用する無線リソースを示す情報を含んでもよい。
【００４７】
また、第１セルに在圏するユーザ端末が第１セルの周囲に設けられる第２セルに在圏する近傍端末を発見するための発見手順は、セル間発見手順（Ｉｎｔｅｒ−Ｃｅｌｌ  Ｄｉｓｃｏｖｅｒｙ）と称される。第１セルに在圏するユーザ端末が第２セルに在圏する近傍端末と行うＤ２Ｄ通信は、セル間Ｄ２Ｄ通信（Ｉｎｔｅｒ−Ｃｅｌｌ  Ｃｏｍｍｕｎｉｃａｔｉｏｎ）と称される。
【００４８】
（３）動作環境
以下において、第１実施形態に係る動作環境について説明する。図６〜図８は、第１実施形態に係る動作環境を示す図である。図６〜図８に示すように、第１実施形態に係る動作環境としては、３つのオプションが存在する。
【００４９】
ここで、図６〜図８に示す３つの動作環境に共通する動作環境は、以下に示す通りである。
【００５０】
ＵＥ１００＃１は、セル＃１に在圏している。ＵＥ１００＃１は、セル＃１においてＲＲＣコネクティッド状態又はＲＲＣアイドル状態である。ＵＥ１００＃１に着目すると、セル＃１は在圏セル（Ｃａｍｐ  ｏｎ  Ｃｅｌｌ）であり、セル＃２は隣接セルである。なお、ＵＥ１００＃１がＲＲＣコネクティッド状態である場合には、セル＃１はサービングセルである。
【００５１】
ＵＥ１００＃２は、セル＃２に在圏している。ＵＥ１００＃２は、セル＃２においてＲＲＣコネクティッド状態又はＲＲＣアイドル状態である。ＵＥ１００＃２に着目すると、セル＃１は隣接セルであり、セル＃２は在圏セル（Ｃａｍｐ  ｏｎ  Ｃｅｌｌ）である。なお、ＵＥ１００＃２がＲＲＣコネクティッド状態である場合には、セル＃２はサービングセルである。
【００５２】
第１動作環境では、図６に示すように、ｅＮＢ２００＃１は、周波数ｆ１で運用されるセル＃１及び周波数ｆ２で運用されるセル＃２を形成する。
【００５３】
第２動作環境では、図７に示すように、ｅＮＢ２００＃１は、周波数ｆ１で運用されるセル＃１を形成しており、ｅＮＢ２００＃２は、周波数ｆ２で運用されるセル＃２を形成する。ｅＮＢ２００＃２は、ピコセル又はフェムトセルであり、セル＃２のカバレッジは、セル＃１のカバレッジと重複する。セル＃２のカバレッジの全体がセル＃１のカバレッジと重複していてもよく、セル＃２のカバレッジの一部がセル＃１のカバレッジと重複していてもよい。
【００５４】
第３の動作環境では、図８に示すように、ｅＮＢ２００＃１は、周波数ｆ１で運用されるセル＃１を形成しており、ｅＮＢ２００＃２は、周波数ｆ２で運用されるセル＃２を形成する。ｅＮＢ２００＃２は、マクロセルであり、セル＃２は、セル＃１の周囲に設けられる。
【００５５】
第１実施形態では、このような動作環境において、ＵＥ１００＃１がＵＥ１００＃２を発見するためのセル間発見手順が行われるシナリオを想定する。このような動作環境において、セル間発見手順でＵＥ１００＃１が周波数ｆ１でＤｉｓｃｏｖｅｒｙ信号を送信しても、ＵＥ１００＃２が在圏するセル＃２の周波数が周波数ｆ２であるため、ＵＥ１００＃２がＤｉｓｃｏｖｅｒｙ信号を受信することができない。
【００５６】
従って、第１実施形態では、ＵＥ１００＃１は、周波数ｆ１とは異なる周波数ｆ２の無線リソースを用いて、セル＃１とは異なるセル＃２に在圏するＵＥ１００＃２を発見するためのＤｉｓｃｏｖｅｒｙ信号を送信する。ここで、周波数ｆ２の無線リソースは、上りリンクに専用で用いられる無線リソースであることに留意すべきである。
【００５７】
ここで、ＵＥ１００＃１は、セル＃１で用いる同期情報を用いて、Ｄｉｓｃｏｖｅｒｙ信号を送信することが好ましい。言い換えると、ＵＥ１００＃１は、セル＃１を形成するｅＮＢ２００＃１と同期したタイミングで、Ｄｉｓｃｏｖｅｒｙ信号を送信することが好ましい。
【００５８】
また、ＵＥ１００＃１は、セル＃１を形成するｅＮＢ２００＃１に対して、周波数ｆ２の無線リソースの割り当てを要求する割当要求を送信してもよい。ｅＮＢ２００＃１は、ＵＥ１００＃１から受信する信号に応じて、Ｄ２Ｄ近傍サービスに使用可能な無線リソース（リソースプール）として、周波数ｆ２の無線リソースをＵＥ１００＃１に割り当てる。
【００５９】
このようなシナリオにおいて、周波数ｆ２の無線リソースをＵＥ１００＃１が利用するためのオプションとして、２つのオプションが考えられる。
【００６０】
第１オプションでは、周波数ｆ２の無線リソースは、セル＃１をＵＥ１００＃１のプライマリセルとした場合に、ＵＥ１００＃１のセカンダリセルの無線リソースとして構成される。セカンダリセルは、周波数ｆ２で運用され、かつ、上りリンクに専用のセルであり、セル＃１を形成するｅＮＢ２００＃１によって構成される。第１オプションにおいて、セル＃１を形成するｅＮＢ２００＃１は、周波数ｆ２で上りリンク及び下りリンクを提供している必要はないことに留意すべきである。すなわち、セカンダリセルは、セル間発見手順に専用で用いられるセルであってもよい。但し、第１オプションは、これに限定されるものではなく、ｅＮＢ２００＃１は、周波数ｆ２で運用されるセルを形成してもよい。
【００６１】
第２オプションでは、周波数ｆ２の無線リソースは、Ｄ２Ｄ近傍サービスに専用の下りリンク制御情報（ＤＣＩ；Ｄｏｗｎｌｉｎｋ  Ｃｏｎｔｒｏｌ  Ｉｎｆｏｒｍａｔｉｏｎ）によってスケジューリングされる。下りリンク制御情報は、セル＃１を形成するｅＮＢ２００＃１から送信される。なお、下りリンク制御情報は、周波数ｆ１を用いて送信されることは勿論である。第２オプションにおいて、セル＃１を形成するｅＮＢ２００＃１は、周波数ｆ２で上りリンク及び下りリンクを提供している必要はないことに留意すべきである。すなわち、セカンダリセルは、セル間発見手順に専用で用いられるセルであってもよい。但し、第２オプションは、これに限定されるものではなく、ｅＮＢ２００＃１は、周波数ｆ２で運用されるセルを形成してもよい。
【００６２】
（４）第１実施形態に係る動作
以下において、第１実施形態に係る動作について説明する。以下において、上述した第１オプション及び第２オプションについて説明する。
【００６３】
（４．１）第１オプション
図９は、第１実施形態に係る第１オプションを示すシーケンス図である。図９において、図６に示す動作環境が前提となっていることに留意すべきである。
【００６４】
図９に示すように、ステップＳ１１において、ＵＥ１００＃１は、セル＃１を形成するｅＮＢ２００＃１に対して、周波数ｆ２の無線リソースの割り当てを要求する割当要求を送信する。
【００６５】
ステップＳ１２において、ｅＮＢ２００＃１は、セル＃１をＵＥ１００＃１のプライマリセルとした場合に、ＵＥ１００＃１のセカンダリセルを構成するためのメッセージ（Ｃｏｎｆｉｇｕｒａｔｉｏｎメッセージ）をＵＥ１００＃１に送信する。上述したように、セル＃１を形成するｅＮＢ２００＃１は、周波数ｆ２で上りリンク及び下りリンクを提供している必要はないことに留意すべきである。
【００６６】
すなわち、ｅＮＢ２００＃１は、Ｄ２Ｄ近傍サービスに専用で用いられる無線リソース（上りリンクに専用で用いられる無線リソース）として、周波数ｆ２の無線リソースをｅＮＢ２００＃１に割り当てる。第１実施形態では、周波数ｆ２の無線リソースは、Ｄ２Ｄ近傍サービスにおいてセル＃１（周波数ｆ１）とは異なるセル＃２（周波数ｆ２）に在圏するＵＥ１００＃２を発見するためのＤｉｓｃｏｖｅｒｙ信号の送信に用いられる。
【００６７】
ステップＳ１３において、ＵＥ１００＃１は、周波数ｆ１とは異なる周波数ｆ２の無線リソースを用いて、セル＃１とは異なるセル＃２に在圏するＵＥ１００＃２を発見するためのＤｉｓｃｏｖｅｒｙ信号を送信する。上述したように、ＵＥ１００＃１は、セル＃１で用いる同期情報を用いて、Ｄｉｓｃｏｖｅｒｙ信号を送信することが好ましい。
【００６８】
なお、ステップＳ１１の処理は必須ではなく、ｅＮＢ２００＃１は、他のトリガに基づいて、ＣｏｎｆｉｇｕｒａｔｉｏｎメッセージをＵＥ１００＃１に送信してもよい。
【００６９】
（４．２）第２オプション
図１０は、第１実施形態に係る第２オプションを示すシーケンス図である。図１０において、図６に示す動作環境が前提となっていることに留意すべきである。
【００７０】
図１０に示すように、ステップＳ２１において、ＵＥ１００＃１は、セル＃１を形成するｅＮＢ２００＃１に対して、周波数ｆ２の無線リソースの割り当てを要求する割当要求を送信する。
【００７１】
ステップＳ２２において、ｅＮＢ２００＃１は、Ｄ２Ｄ近傍サービスに専用の下りリンク制御情報（ＤＣＩ；Ｄｏｗｎｌｉｎｋ  Ｃｏｎｔｒｏｌ  Ｉｎｆｏｒｍａｔｉｏｎ）をＵＥ１００＃１に送信する。下りリンク制御情報は、周波数ｆ２の無線リソースをスケジューリングするための情報である。上述したように、セル＃１を形成するｅＮＢ２００＃１は、周波数ｆ２で上りリンク及び下りリンクを提供している必要はないことに留意すべきである。
【００７２】
すなわち、ｅＮＢ２００＃１は、Ｄ２Ｄ近傍サービスに専用で用いられる無線リソース（上りリンクに専用で用いられる無線リソース）として、周波数ｆ２の無線リソースをｅＮＢ２００＃１に割り当てる。第１実施形態では、周波数ｆ２の無線リソースは、Ｄ２Ｄ近傍サービスにおいてセル＃１（周波数ｆ１）とは異なるセル＃２（周波数ｆ２）に在圏するＵＥ１００＃２を発見するためのＤｉｓｃｏｖｅｒｙ信号の送信に用いられる。
【００７３】
ステップＳ２３において、ＵＥ１００＃１は、周波数ｆ１とは異なる周波数ｆ２の無線リソースを用いて、セル＃１とは異なるセル＃２に在圏するＵＥ１００＃２を発見するためのＤｉｓｃｏｖｅｒｙ信号を送信する。上述したように、ＵＥ１００＃１は、セル＃１で用いる同期情報を用いて、Ｄｉｓｃｏｖｅｒｙ信号を送信することが好ましい。
【００７４】
なお、ステップＳ２１の処理は必須ではなく、ｅＮＢ２００＃１は、他のトリガに基づいて、ＣｏｎｆｉｇｕｒａｔｉｏｎメッセージをＵＥ１００＃１に送信してもよい。
【００７５】
（５）作用及び効果
第１実施形態では、「上りリンクに専用で用いられる第２周波数の無線リソース」という新たな概念を導入するとともに、ＵＥ１００＃１は、周波数ｆ２の無線リソースを用いて、Ｄｉｓｃｏｖｅｒｙ信号を送信する。これによって、第１セルで運用されている周波数と第２セルで運用されている周波数とが異なるケースであっても、ＵＥ１００＃２がＤｉｓｃｏｖｅｒｙ信号を受信することができ、セル間発見手順を適切に行うことができる。
【００７６】
［変更例１］
以下において、第１実施形態の変更例１について説明する。以下においては、第１実施形態に対する相違点について主として説明する。
【００７７】
具体的には、第１実施形態では、ＵＥ１００＃１は、周波数ｆ２の無線リソースを用いて、Ｄｉｓｃｏｖｅｒｙ信号を送信する。これに対して、変更例１では、Ｄ２Ｄ近傍サービスに興味がある旨を示すＤ２Ｄ興味通知の送信によって、複数のＵＥ１００が在圏するセルの周波数をＤ２Ｄ近傍サービスが提供されている周波数に揃える。
【００７８】
ここで、変更例１では、周波数ｆ２でＤ２Ｄ近傍サービスが提供されておらず、周波数ｆ１でＤ２Ｄ近傍サービスが提供されているケースを例示する。このようなケースにおいて、ＵＥ１００＃２が在圏するセル＃２を周波数ｆ１で運用されるセルに変更する手順について説明する。このように、変更例１は、移動通信システム（ＷＡＮ；Ｗｉｄｅ  Ａｒｅａ  Ｎｅｔｗｏｒｋ）で提供される全ての周波数において、Ｄ２Ｄ近傍サービスが提供される必要がないシナリオであることに留意すべきである。言い換えると、ＵＥ１００は、移動通信システム（ＷＡＮ；Ｗｉｄｅ  Ａｒｅａ  Ｎｅｔｗｏｒｋ）で提供される全ての周波数において、Ｄ２Ｄ近傍サービスをサポートする必要がないことに留意すべきである。Ｄ２Ｄ近傍サービスをサポートする周波数は、ＵＥ１００毎に異なっていてもよい。
【００７９】
なお、第１動作環境（図６を参照）において、周波数ｆ１で運用されるセルは、ｅＮＢ２００＃１によって提供されるセルである。第２動作環境（図７を参照）において、周波数ｆ１で運用されるセルは、ｅＮＢ２００＃１によって提供されるセルであってもよく、ｅＮＢ２００＃１によって提供されるセルであってもよい。第３動作環境（図８を参照）において、周波数ｆ１で運用されるセルは、ｅＮＢ２００＃２によって提供されるセルである。
【００８０】
詳細には、図１１に示すように、ステップＳ３１において、ｅＮＢ２００＃２は、Ｄ２Ｄ近傍サービスが提供される周波数を示す情報を報知する。このような情報は、例えば、ＳＩＢ（Ｓｙｓｔｅｍ  Ｉｎｆｏｒｍａｔｉｏｎ  Ｂｌｏｃｋ）によって報知される。
【００８１】
ステップＳ３２において、ＵＥ１００＃２は、Ｄ２Ｄ近傍サービスに興味がある旨を示すＤ２Ｄ興味通知（Ｄ２Ｄ  Ｉｎｔｅｒｅｓｔ  Ｉｎｄｉｃａｔｉｏｎ）をｅＮＢ２００＃２に送信する。ＵＥ１００＃２は、ステップＳ３１で受信する情報を参照して、周波数ｆ２でＤ２Ｄ近傍サービスが提供されていない場合に、Ｄ２Ｄ興味通知をｅＮＢ２００＃２に送信してもよい。言い換えると、ＵＥ１００＃２は、Ｄ２Ｄ近傍サービスが提供されていないセル（周波数）に在圏している場合に、Ｄ２Ｄ興味通知をｅＮＢ２００＃２に送信してもよい。但し、変更例１は、これに限定されるものではなく、ＵＥ１００＃２は、ステップＳ３１で受信する情報を参照せずに、Ｄ２Ｄ興味通知をｅＮＢ２００＃２に送信してもよい。
【００８２】
ステップＳ３３において、ｅＮＢ２００＃２は、周波数ｆ２（セル＃２）から周波数ｆ１（周波数ｆ１で運用されるセル）への遷移を指示するメッセージ（遷移指示）をＵＥ１００＃２に送信する。ＵＥ１００＃２がＲＲＣコネクティッド状態である場合には、遷移指示は、セル＃２から周波数ｆ１で運用されるセルに対するハンドオーバ指示である。一方で、ＵＥ１００＃２がＲＲＣコネクティッド状態でＤ２Ｄ興味通知を送信した後に、ＵＥ１００＃２をＲＲＣアイドル状態に遷移させる場合には、遷移指示は、セル＃２から周波数ｆ１で運用されるセルに対するセルチェンジ指示（Ｃｅｌｌ  Change  Ｏｒｄｅｒ）であってもよい。このようなケースにおいて、ｅＮＢ２００＃２は、例えば、ＲＲＣ接続解放メッセージ（ＲＲＣ  Ｃｏｎｎｅｃｔｉｏｎ  Ｒｅｌｅａｓｅ）とともに、セルチェンジ指示（Ｃｅｌｌ  Change  Ｏｒｄｅｒ）をＵＥ１００＃２に送信する。
【００８３】
なお、Ｄ２Ｄ興味通知は、ＲＲＣコネクティッド状態で送信されるため、ステップＳ３３において、ＵＥ１００＃２がＲＲＣコネクティッド状態である可能性が高いことに留意すべきである。
【００８４】
また、ステップＳ３３において、ＵＥ１００＃２は、Ｄ２Ｄ近傍サービスが提供されている周波数ｆ１への遷移（ハンドオーバ又はセルリセレクション）を行うことに留意すべきである。
【００８５】
ステップＳ３４において、ＵＥ１００＃２は、周波数ｆ１でＤｉｓｃｏｖｅｒｙ信号をスキャンする。これによって、ＵＥ１００＃２は、ＵＥ１００＃１から送信されるＤｉｓｃｏｖｅｒｙ信号を受信することができる。
【００８６】
ここで、Ｄ２Ｄ興味通知（Ｄ２Ｄ  Ｉｎｔｅｒｅｓｔ  Ｉｎｄｉｃａｔｉｏｎ）は、ＵＥ１００＃１が興味を有するＤ２Ｄ近傍サービスの種類を示す情報を含んでもよい。Ｄ２Ｄ近傍サービスの種類は、例えば、セル間Ｄ２Ｄ通信を希望するか否かを示す情報、セル間Ｄ２Ｄ通信を行うべきＵＥ１００の種類を示す情報などである。
【００８７】
（作用及び効果）
変更例１では、「Ｄ２Ｄ近傍サービスに興味がある旨を示すＤ２Ｄ興味通知」という新たな概念を導入するとともに、ＵＥ１００＃２は、セル＃２を形成するｅＮＢ２００＃２に対して、Ｄ２Ｄ興味通知を送信する。言い換えると、Ｄ２Ｄ近傍サービスが提供されている周波数に対するＵＥ１００の遷移（ハンドオーバ又はセルリセレクション）を行うための判断材料がｅＮＢ２００に提供される。従って、複数のＵＥ１００が在圏するセルの周波数が互いに異なる場合であっても、複数のＵＥ１００が在圏するセルの周波数をＤ２Ｄ近傍サービスが提供されている周波数（ここでは、周波数ｆ１）に揃えることができ、セル間発見手順を適切に行うことができる。
【００８８】
［変更例２］
以下において、第１実施形態の変更例２について説明する。以下においては、変更例１に対する相違点について主として説明する。
【００８９】
具体的には、変更例１では、周波数ｆ２でＤ２Ｄ近傍サービスが提供されておらず、周波数ｆ１でＤ２Ｄ近傍サービスが提供されている場合に、ＵＥ１００＃２がＤ２Ｄ興味通知を送信するケースについて説明した。
【００９０】
これに対して、変更例２では、周波数ｆ１でＤ２Ｄ近傍サービスが提供されておらず、周波数ｆ２でＤ２Ｄ近傍サービスが提供されているケースを例示する。また、ｅＮＢ２００＃１は、周波数ｆ１で運用されるセル＃１に加えて、周波数ｆ２で運用されるセルを形成することに留意すべきである。
【００９１】
ここで、変更例２は、変更例１と同様に、移動通信システム（ＷＡＮ；Ｗｉｄｅ  Ａｒｅａ  Ｎｅｔｗｏｒｋ）で提供される全ての周波数において、Ｄ２Ｄ近傍サービスが提供される必要がないシナリオであることに留意すべきである。言い換えると、ＵＥ１００は、移動通信システム（ＷＡＮ；Ｗｉｄｅ  Ａｒｅａ  Ｎｅｔｗｏｒｋ）で提供される全ての周波数において、Ｄ２Ｄ近傍サービスをサポートする必要がないことに留意すべきである。Ｄ２Ｄ近傍サービスをサポートする周波数は、ＵＥ１００毎に異なっていてもよい。
【００９２】
このようなケースにおいて、変更例２では、ＵＥ１００＃１は、セル＃１を形成するｅＮＢ２００＃１に対して、Ｄ２Ｄ興味通知を送信する。ＵＥ１００＃１は、Ｄ２Ｄ近傍サービスが提供されていないセル（周波数）に在圏している場合に、Ｄ２Ｄ興味通知をｅＮＢ２００＃１に送信してもよい。
【００９３】
ここで、Ｄ２Ｄ興味通知を受信するｅＮＢ２００＃１は、後述する変更例３に記載するように、周波数ｆ１から周波数ｆ２への遷移を指示するメッセージ（遷移指示）をＵＥ１００＃１に送信することが好ましい。遷移指示を受信するＵＥ１００＃１は、後述する変更例３に記載するように、Ｄ２Ｄ近傍サービスが提供されている周波数ｆ２への遷移（ハンドオーバ又はセルリセレクション）を行うことが好ましい。
【００９４】
これによって、変更例１と同様に、複数のＵＥ１００が在圏するセルの周波数が互いに異なる場合であっても、複数のＵＥ１００が在圏するセルの周波数をＤ２Ｄ近傍サービスが提供されている周波数（ここでは、周波数ｆ２）に揃えることができ、セル間発見手順を適切に行うことができる。
【００９５】
なお、変更例２において、Ｄ２Ｄ近傍サービスが提供される周波数を示す情報は、ｅＮＢ２００＃１から報知されることが好ましい。このような情報は、例えば、ＳＩＢ（Ｓｙｓｔｅｍ  Ｉｎｆｏｒｍａｔｉｏｎ  Ｂｌｏｃｋ）によって報知される。
【００９６】
［変更例３］
以下において、第１実施形態の変更例３について説明する。以下においては、第１実施形態及び変更例２に対する相違点について主として説明する。
【００９７】
具体的には、第１実施形態では、周波数ｆ２の無線リソースの割り当て処理（ステップＳ１２又はステップＳ２２）は、ＵＥ１００＃１からｅＮＢ２００＃１に対する周波数ｆ２の無線リソースの割り当てを要求する割当要求の送信によってトリガされる。
【００９８】
これに対して、変更例３では、周波数ｆ２の無線リソースの割り当て処理（ステップＳ１２又はステップＳ２２）は、ＵＥ１００＃１からｅＮＢ２００＃１に対するＤ２Ｄ興味通知の送信によってトリガされる。
【００９９】
すなわち、上述した第１オプションでは、図１２に示すように、図９に示すステップＳ１１に代えて、ステップＳ１１Ａの処理が行われる。ステップＳ１１Ａにおいて、ＵＥ１００＃１は、Ｄ２Ｄ近傍サービスに興味がある旨を示すＤ２Ｄ興味通知（Ｄ２Ｄ  Ｉｎｔｅｒｅｓｔ  Ｉｎｄｉｃａｔｉｏｎ）をｅＮＢ２００＃１に送信する。同様に、上述した第２オプションでは、図１３に示すように、図１０に示すステップＳ２１に代えて、ステップＳ２１Ａの処理が行われる。ステップＳ２１Ａにおいて、ＵＥ１００＃１は、Ｄ２Ｄ近傍サービスに興味がある旨を示すＤ２Ｄ興味通知（Ｄ２Ｄ  Ｉｎｔｅｒｅｓｔ  Ｉｎｄｉｃａｔｉｏｎ）をｅＮＢ２００＃１に送信する。
【０１００】
［変更例４］
以下において、第１実施形態の変更例４について説明する。以下においては、第１実施形態に対する相違点について主として説明する。
【０１０１】
具体的には、第１実施形態において、上りリンクに専用で用いられる無線リソースは、Ｄ２Ｄ近傍サービスに専用で用いられる無線リソースである。
【０１０２】
これに対して、変更例４では、上りリンクに専用で用いられる無線リソースは、ＵＥ１００が在圏するセル（例えば、マクロセル）のカバレッジよりも狭いカバレッジを有するセル（例えば、ピコセル又はフェムトセル）を管理するｅＮＢ２００に対して、ＵＥ１００の存在を知らせるために用いる信号の送信に用いられる。
【０１０３】
詳細には、図１４に示すように、ｅＮＢ２００＃１１は、周波数ｆ１１で運用されるセル＃１１（例えば、マクロセル）を形成する。ｅＮＢ２００＃１２は、周波数ｆ１２で運用されるセル＃１２（例えば、ピコセル又はフェムトセル）を形成する。セル＃１２は、セル＃１１のカバレッジよりも狭いカバレッジを有する。セル＃１２のカバレッジは、セル＃１１のカバレッジと重複している。ＵＥ１００＃１は、セル＃１１に在圏している。
【０１０４】
このような動作環境において、ｅＮＢ２００＃１１は、セル＃１１に在圏するＵＥ１００＃１に対して、周波数ｆ１１とは異なる第２周波数ｆ１２の無線リソースを割り当てる。第２周波数ｆ１２の無線リソースは、セル＃１２を形成するｅＮＢ２００＃１２に対して、ＵＥ１００＃１の存在を知らせるために用いる信号の送信に用いられる。
【０１０５】
ここで、このような信号の一例としては、ＲＡＣＨ信号が挙げられる。ＵＥ１００＃１は、第２周波数ｆ１２の無線リソースを用いて、ＲＡＣＨ信号を送信することによって、セル＃１２を形成するｅＮＢ２００＃１２に対して、ＵＥ１００＃１の存在を知らせることができる。
【０１０６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０７】
実施形態では特に触れていないが、ＵＥ１００は、Ｄ２Ｄ機能がオンにれたときに、Ｄ２Ｄ興味通知（Ｄ２Ｄ  Ｉｎｔｅｒｅｓｔ  Ｉｎｄｉｃａｔｉｏｎ）を送信することが好ましい。Ｄ２Ｄ機能は、Ｄ２Ｄ近傍サービスを受けるための機能であり、例えば、ユーザ操作によって、Ｄ２Ｄ機能のオン／オフが切り替えられる。Ｄ２Ｄ機能のオン／オフは、ユーザ操作ではなくて、移動通信システム（ＷＡＮ；Ｗｉｄｅ  Ａｒｅａ  Ｎｅｔｗｏｒｋ）によって提供されるセルにＵＥ１００が在圏するか否かによって切り替えられてもよい。
【０１０８】
実施形態では特に触れていないが、Ｄ２Ｄ近傍サービスは、複数の周波数によって提供されてもよい。このようなケースにおいて、ｅＮＢ２００は、Ｄ２Ｄ興味通知の受信に応じて、複数の周波数の中から、Ｄ２Ｄ近傍サービスを提供すべき周波数を選択してもよい。例えば、ｅＮＢ２００は、各周波数の混雑状況、各周波数の干渉状況に応じて、Ｄ２Ｄ近傍サービスを提供すべき周波数を選択してもよい。或いは、ｅＮＢ２００は、Ｄ２Ｄ近傍サービスがユニキャストで行われる場合に、Ｄ２Ｄ近傍サービスを受けるＵＥ１００の組合せに応じて、Ｄ２Ｄ近傍サービスを提供すべき周波数を選択してもよい。これによって、Ｄ２Ｄ近傍サービスを受けるＵＥ１００の組合せに応じてスケジューリングを行うことが可能である。
【０１０９】
実施形態では特に触れていないが、Ｄ２Ｄ興味通知は、Ｄｉｓｃｏｖｅｒｙ信号の送信に用いる周波数を示す情報、Ｄｉｓｃｏｖｅｒｙ信号の受信に用いる周波数を示す情報、又は、Ｄｉｓｃｏｖｅｒｙ信号の送受信に用いる周波数を示す情報を含んでもよい。Ｄｉｓｃｏｖｅｒｙ信号の送信に用いる周波数及びＤｉｓｃｏｖｅｒｙ信号の受信に用いる周波数は互いに異なっていてもよい。
【０１１０】
実施形態では特に触れていないが、ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１１】
或いは、ＵＥ１００及びｅＮＢ２００が行う各処理を実行するためのプログラムを記憶するメモリ及びメモリに記憶されたプログラムを実行するプロセッサによって構成されるチップが提供されてもよい。
【０１１２】
実施形態では、移動通信システムの一例としてＬＴＥシステムを説明した。しかしながら、実施形態はこれに限定されるものではない。移動通信システムは、ＬＴＥシステム以外のシステムであってもよい。
【０１１３】
［付記］
以下において、実施形態の補足事項について付記する。
【０１１４】
（1.  はじめに）
本付記では、周波数間Ｄｉｓｃｏｖｅｒｙについて検討する。
【０１１５】
（2.  周波数間Ｄｉｓｃｏｖｅｒｙの配備シナリオ）
周波数間Ｄｉｓｃｏｖｅｒｙの可能な配備シナリオは、図６〜図８に示され、ＵＥ１がｆ１上で動作するセル１に在圏／接続し、ＵＥ２がｆ２上で動作するセル２に在圏／接続している。セル１又はセル２を動作させるｅＮＢは、ｆ２又はｆ１上においてＳＣｅｌｌを動作させてもよく、動作させなくてもよい。
【０１１６】
シナリオは、ｅＮＢ内／同種ネットワーク（ＨｏｍｏＮｅｔ）、ｅＮＢ間／異種ネットワーク（ＨｅｔＮｅｔ）、及びｅＮＢ間／ＨｏｍｏＮｅｔが配備されているか否かに応じて、３つのケースに分類することができる。これらのケースは、図６〜図８にそれぞれ図示される。実際の配備は、これらの分類したケースの組み合わせから構成されてもよい。
【０１１７】
図６に図示されるｅＮＢ内／ＨｏｍｏＮｅｔのケースでは、ｅＮＢ内キャリアアグリゲーション（ＣＡ）の配備を含んでもよく、つまり、各ＵＥは、ＣＡ可能であるが、それぞれＰＣｅｌｌは異なる周波数が設定される。つまり、ＵＥ１のＰＣｅｌｌは、ｆ１上のセル１であり、ＵＥ２のＰＣｅｌｌは、ｆ２上のセル２である。最も単純なケースとしては、例えば、ＵＥ１に対するＳＣｅｌｌがセル２で設定され、ｅＮＢ１がセル２上のＤ２Ｄ動作を許可する。この場合、ＵＥ１及びＵＥ２は、それほど問題なくｆ２を介してＤ２Ｄを実行できることとなる。
【０１１８】
図７におけるｅＮＢ間／ＨｅｔＮｅｔのケースでは、Ｄ２Ｄ動作が少々より複雑である。なぜならば、ＵＥのＲＲＣ接続が異なるｅＮＢを跨って確立されるからである。ＵＥ２が、二重接続（ＤＣ）可能ＵＥであり、ＲＲＣ接続では、ｆ１が設定され、セカンダリリソースでは、ｆ２が設定されると想定した場合、ＵＥ１はｆ１上だけでサービスを提供されるので、ＵＥ２は、ｆ１上でＵＥ１とＤ２Ｄを実行できることとなる。
【０１１９】
上記２つのケースにおいて共通する点は、両方のＵＥが、ある周波数上で共通のカバレッジセルを提供される可能性があることである。したがって、周波数間Ｄｉｓｃｏｖｅｒｙをサポートする１つの簡易な方法は、同じ周波数下で、同一の重なったセルの下で、全てのＤ２Ｄ  ＵＥが確実にサービスを提供されることである。
【０１２０】
考察１：  Ｄ２Ｄ  ＵＥが同一の重なったセルの下でサービスを提供される場合、周波数間Ｄｉｓｃｏｖｅｒｙは容易にサポートされる。
【０１２１】
ｅＮＢ間／ＨｏｍｏＮｅｔのケースでは、図８に図示されるように、Ｄ２Ｄ動作には、最も複雑なネットワーク計画を伴うが、これは、両方のＤ２Ｄ  ＵＥの重なった層がなく、Ｘ２を介した標準化された協働がＲｅｌ‐１２では許可されないからである。
【０１２２】
なお、同期配備に関しては、セル１及びセル２は、時間的に同期されると想定している。非同期配備下のＤ２Ｄの同期に関する問題は、別途検討される。
【０１２３】
提案１：  少なくともＲｅｌ‐１２において、周波数間Ｄｉｓｃｏｖｅｒｙを試みるＵＥが、１つの周波数で動作する少なくとも１つの重なったセルを備えることが想定されるべきである。
【０１２４】
現在まで、配備された動作周波数の一部だけがＤ２Ｄ  Ｄｉｓｃｏｖｅｒｙをサポートすることができるというケースは未だ検討されていない。上記は、ｅＮＢの実装又はオペレータの嗜好として考えられているが、周波数間、セル間Ｄｉｓｃｏｖｅｒｙに影響を与えるものではない。例えば、３つの動作周波数のケースを想定してみると、Ｄ２Ｄに対するサポートは、表１に示すように３つのプランに分類することができる。
【０１２５】
【表１】
2015170729.tif 000003
【０１２６】
プラン１では、Ｄ２Ｄ  Ｄｉｓｃｏｖｅｒｙ又はＤ２Ｄ通信を含んでもよく、含まなくてもよい、Ｄ２Ｄ動作を、全動作周波数が許可することを想定する。プラン２では、３つの動作周波数のうち２つがＤ２Ｄ動作を許可することを想定する。上記２つのプランでは、周波数間Ｄｉｓｃｏｖｅｒｙ用の幾つかのメカニズムが必要となる。
【０１２７】
プラン３では、１つの周波数だけがＤ２Ｄ動作をサポートする。これは、周波数内シナリオだけであると考えてもよい。しかしながら、プラン３のシナリオでは、全てのＤ２Ｄ  ＵＥが同じ周波数上の（複数の）セルによって初期にサービスを提供されるわけではないと想定されるので、全てのＤ２Ｄ  ＵＥがＤ２Ｄ用に利用可能な１つの周波数上でＤ２Ｄを動作させることが可能であることを確実にするために幾つかの（複数の）メカニズムが必要とされる。
【０１２８】
周波数間Ｄｉｓｃｏｖｅｒｙの主な目的は、ＵＥが、Ｄ２Ｄ許可周波数の下でサービスを提供されるようにすることであり、ＵＥが現在サービスを提供されている周波数が、Ｄ２Ｄ許可周波数の１つでない場合があることが想定される。Ｄ２Ｄ  Ｄｉｓｃｏｖｅｒｙのモニタリング／送信用の適切な周波数にＵＥがチューニングしやすくするために、非Ｄ２Ｄサービングセルが、Ｄ２Ｄをサポートする周辺周波数のリストを提供することを可能にするべきである。これは、ＭＢＭＳセルと非ＭＢＭＳセルとの両方が、ＳＩＢ１５内で、現在の周波数及び各周辺周波数のＭＢＭＳ  ＳＡＩを通知する、ＭＢＭＳ用のシナリオと同様である。
【０１２９】
提案２：  Ｄ２Ｄ許可周波数は、サービングセルがＤ２Ｄ動作を許可するかしないかに拘らず、サービングセルのＳＩＢにより提供されるべきである。
【０１３０】
（3.  送受信スキームの選択肢）
可能な配備シナリオを考慮に入れて、周波数間Ｄｉｓｃｏｖｅｒｙは、以下の３つの選択肢のうちの１つ以上により達成されてもよい。
【０１３１】
選択肢１：  ＵＥ１が、ｆ１上でＤｉｓｃｏｖｅｒｙ信号を送信し、その後、ＵＥ２が、ｆ１上で該信号を受信する。つまり周波数間Ｄｉｓｃｏｖｅｒｙセル受信メカニズムである。この選択肢では、ＵＥ２は、少なくとも両周波数の受信機を有すると想定される。更に効率的なオペレーションとしては、ＵＥが二重受信機及び／又はキャリアアグリゲーション能力を有することが想定され得る。
【０１３２】
選択肢２：  ＵＥ１が、ｆ２上、例えば、周波数間Ｄｉｓｃｏｖｅｒｙ送信メカニズムで、Ｄｉｓｃｏｖｅｒｙ信号を送信し、その後、ＵＥ２が、ｆ２上で該信号を受信する。この選択肢では、ＵＥ１が少なくとも両周波数用の送信機を有することが想定され得る。更に効率的なオペレーションとしては、ＵＥが二重送信機及び／又はキャリアアグリゲーション能力を有することが想定され得る。
【０１３３】
選択肢３：  ＵＥ１が、ｆ１上でＤｉｓｃｏｖｅｒｙ信号を送信し、その後、ＵＥ２が、ｆ１にハンドオーバ後、ｆ１上で該信号を受信する。この選択肢では、セル２を動作させているｅＮＢは、ｆ１上で動作可能な他のセルを有していることが想定される。
【０１３４】
選択肢１は、単純なスキームである。なぜならば、セル１がＤｉｓｃｏｖｅｒｙ信号の送信のため、自身の動作周波数内のリソースのみをＵＥ１に割り当てる一方、ＵＥ２は、サービング周波数と異なる周波数上で該Ｄｉｓｃｏｖｅｒｙ信号を受信する必要があるからである。
【０１３５】
選択肢２は、例えば、表１のプラン１など、マルチキャリアＤ２Ｄ動作がサポートされることを想定すれば、ネットワーク計画において更にフレキシブルな潜在的可能性を有している。この選択肢は、Ｄ２Ｄ通信、特に、ユニキャストのケースに利点が期待されるが、Ｒｅｌ‐１２にとっては不要な複雑性を生じさせるだけである。なぜならば、Ｄｉｓｃｏｖｅｒｙ及び１対多数のＤ２Ｄ通信がブロードキャストの送受信に想定されており、つまり、送信信号は、域内の全てのＤ２Ｄ実施可能ＵＥにより受信される必要があるからである。
【０１３６】
選択肢３は、実際は、マルチ周波数配備シナリオ下において可能な限り周波数内Ｄ２Ｄ  Ｄｉｓｃｏｖｅｒｙを試みかつ再利用するためのメカニズムである。既存の周波数内Ｄ２Ｄ  Ｄｉｓｃｏｖｅｒｙメカニズムを再利用するため、選択肢３は、ＵＥに対して最も影響が少なくて済む。なぜならば、Ｄ２Ｄ動作、つまり表１のプラン３を許可する共通の周波数上でのみＤ２Ｄ  Ｄｉｓｃｏｖｅｒｙが行われるからである。
【０１３７】
提案３：  ＲＡＮ２では、Ｒｅｌ‐１２用のサービング周波数と異なる周波数上で送信されるＤｉｓｃｏｖｅｒｙ信号のためのスキームは除外されるべきである。
【０１３８】
（4.  スキームの選択肢の詳細）
（4.1.  選択肢１の詳細）
（4.1.1.  周波数間Ｄｉｓｃｏｖｅｒｙ信号の受信）
周波数内Ｄｉｓｃｏｖｅｒｙに関する、セル内及びセル間のシナリオの両方がＲＡＮ２で検討されており、研究事項フェーズ中にいくつかの合意が得られた。幾つかの検討がまた、作業項目フェーズ下で開始されている。セル間Ｄｉｓｃｏｖｅｒｙに関しては、ＲＡＮ２では、Ｄ２Ｄ受信Ｄｉｓｃｏｖｅｒｙリソースに関して以下の合意が得られた。
【０１３９】
ｅＮＢは、Ｄ２Ｄ受信ＤｉｓｃｏｖｅｒｙリソースをＳＩＢに含んで提供してもよい。これらのリソースは、このセル内のＤ２Ｄ送信用に使用されるリソース及び隣接セル内で使用されるリソースをカバーしてもよい。（詳細は今後検討（FFS））
【０１４０】
更に、ＲＡＮ１では、以下の局面に関して合意した。
【０１４１】
（サポートされている場合）Ｔｙｐｅ−２Ｂ用のＤｉｓｃｏｖｅｒｙ受信のためにＤ２Ｄ  ＵＥ用の（複数の）無線リソースプールをｅＮＢがＳＩＢに含んで提供してもよいことが確認された。タイプ１及びＴｙｐｅ−２ＢのＤｉｓｃｏｖｅｒｙ用の（複数の）共通の受信プールであるか、又は異なる受信プールであるかは今後検討（FFS）。ＵＥは、隣接セルのＳＩＢをデコードする必要はない。
【０１４２】
Ｔｙｐｅ−２ＢのＤｉｓｃｏｖｅｒｙ用のメカニズム。ｅＮＢによるリソース割り当て後、リソースホッピングメカニズムを適用できる。リソースホッピングメカニズムの詳細は今後検討。
【０１４３】
上記の合意は、サービングセルから送信されたＳＩＢがセル間Ｄｉｓｃｏｖｅｒｙ信号の受信のための情報をＵＥへ提供することを意図していた。したがって、ＵＥは、隣接セルから送信されるＳＩＢを一切デコードせずに信号を受信することができる。
【０１４４】
考察２：  ＵＥのサービングセルからＳＩＢにより提供される（複数の）受信プールがあれば、ＵＥは、隣接セルのＳＩＢをデコードせずにＤｉｓｃｏｖｅｒｙ信号を受信することができる。
【０１４５】
「隣接セル」という用語は、典型的には、同じ周波数並びに異なる周波数上の隣接セルを含む。しかしながら、ＲＡＮ２における、リソース割り当てに対する上記合意に向けての検討では、周波数間Ｄｉｓｃｏｖｅｒｙのシナリオが明確に検討されていない。したがって、詳細を検討し定義する必要がある。
【０１４６】
合意が、異なる周波数上の隣接セルを含むと想定する場合、サービングセルによって送信されるＳＩＢは、サービング周波数及び周辺周波数上のＤ２Ｄ  Ｄｉｓｃｏｖｅｒｙリソースを含むべきである。ＳＩＢを介して提供される利用可能なＤｉｓｃｏｖｅｒｙリソースがあれば、Ｄ２Ｄ  ＵＥは、周辺の周波数間セル上のＵＥからＤ２Ｄ  Ｄｉｓｃｏｖｅｒｙ信号を受信することができるであろう。我々の想定は、選択肢１を使って周波数間Ｄｉｓｃｏｖｅｒｙをサポートするため、幾つかの拡張パラメータをＩＥに付与して、セル間Ｄｉｓｃｏｖｅｒｙのために定義し、既存の周波数間測定メカニズムを再利用できる、ということである。
【０１４７】
提案４：  ベースラインとして、選択肢１がＲｅｌ‐１２においてサポートされる場合、ＲＡＮ２では、周波数間Ｄｉｓｃｏｖｅｒｙ用の既存の周波数間測定メカニズムを再利用することを検討するべきである。
【０１４８】
（4.1.2.  生じ得る問題）
（4.1.2.1.  測定ギャップ長及びトリガ）
ＴＲの表１０．１−２によれば、ＲＡＮ１は、研究フェーズにおける性能評価のためのＤｉｓｃｏｖｅｒｙ期間毎に１６〜６４個のサブフレームを想定した。周波数間測定において、既存の測定ギャップ長が、６個のサブフレームに固定されている。これ以上向上しなければ、Ｄｉｓｃｏｖｅｒｙの検出可能性、つまり、Ｄ２Ｄ  ＵＥを発見する機会が少なくとも１／３に下がってしまうであろう。
【０１４９】
測定ギャップの設定のタイミングに関して、ｅＮＢのＲＲＭに関する測定値（つまり、ＲＳＲＰ／ＲＳＲＱ）と他のＤ２Ｄ  ＵＥからのＤｉｓｃｏｖｅｒｙ信号受信電力との間の関係は直接的に関係しなくてもよい。言い換えると、Ｄ２Ｄ  ＵＥは、Ｄ２Ｄ  ＵＥが隣接セルに接近していなくても隣接セルのＤ２Ｄ  ＵＥからＤｉｓｃｏｖｅｒｙ信号を受信してもよい。選択肢１の周波数間Ｄｉｓｃｏｖｅｒｙを考慮すると、Ｄｉｓｃｏｖｅｒｙのギャップを割り当てるための決定はｅＮＢの実装に委ねるべきであるが、Ｄ２Ｄ  Ｄｉｓｃｏｖｅｒｙの連続モニタリングからＤ２Ｄ  ＵＥを拒否する理由はない。Ｄ２Ｄ  ＵＥがＤ２Ｄ  Ｄｉｓｃｏｖｅｒｙの送受信に興味がない場合、Ｄ２Ｄ  ＵＥは、サービングｅＮＢに対してＤ２Ｄ動作の状態、つまりＤ２Ｄ動作がユーザにより不能にされたかどうか、を通知するべきである。
【０１５０】
考察３：  周波数間測定のための既存のメカニズムを再利用する場合、検出可能性は低下することとなる。
【０１５１】
考察４：  ｅＮＢのＲＲＭに関する測定値と他のＤ２Ｄ  ＵＥからのＤｉｓｃｏｖｅｒｙ信号受信電力とは、直接的に関係しなくてもよいが、ＵＥにギャップを割り当てて周波数間Ｄｉｓｃｏｖｅｒｙをモニターするのは、ｅＮＢが責任を担うべきである。
【０１５２】
考察３に基づいて、周波数間Ｄｉｓｃｏｖｅｒｙを更に向上させる必要があるか否かを検討するべきである。例えば、既存の測定ギャップ長よりも大きい数のサブフレームを使って、新しい「Ｄｉｓｃｏｖｅｒｙモニタリングギャップ」を定義する等である。
【０１５３】
しかしながら、在圏／サービング周波数上でのＷＡＮ  ＵＬ／ＤＬ送信の機会は低下するが、Ｄｉｓｃｏｖｅｒｙの検出可能性は高まることとなる。
【０１５４】
考察５：  ギャップが周波数間Ｄｉｓｃｏｖｅｒｙに対して向上した場合、周波数間モニタリングの回数が増え、かつ／又はＤｉｓｃｏｖｅｒｙサブフレームが長くなるので、ＵＥは、セルラ動作に対する機会を失うだろう。
【０１５５】
提案５：  選択肢１がサポートされる場合、ＲＡＮ２では、Ｄｉｓｃｏｖｅｒｙの検出可能性とＷＡＮ  ＵＬ／ＤＬ送信の機会との間のトレードオフを検討するべきである。
【０１５６】
上記トレードオフの影響を低減するために、Ｄｉｓｃｏｖｅｒｙ用の周波数間隣接セルが同じセル又はハンドオーバ用セルの一部である場合、つまり、通常のセルラ動作の場合のために、周波数間測定と周波数間Ｄｉｓｃｏｖｅｒｙとの同時動作を検討するべきである。周波数間測定はＤＬ受信機を必要とし、ＵＬ送受信機を必要としない。つまり、Ｄ２Ｄ受信機は、ギャップ中はフリーである。したがって、ＵＥは、同一のギャップ中、Ｄｉｓｃｏｖｅｒｙ信号を受信できる。
【０１５７】
考察６：  Ｄｉｓｃｏｖｅｒｙ信号の周波数間モニタリングは、既存の測定ギャップの間、実施してもよく、周波数間測定と同時に実施してもよい。
【０１５８】
提案６：  ベースラインとして、選択肢１が選択される場合、ＲＡＮ２では、Ｄｉｓｃｏｖｅｒｙ信号の周波数間モニタリングが同じ測定ギャップを使用して既存の周波数間測定と共に実施されることを想定するべきである。
【０１５９】
（4.1.2.2.  ＵＥ能力）
これまで我々は、表１のプランに示されるように、ＷＡＮ通信用のサポート周波数の数に拘らず、単一のＤ２Ｄ送受信機を有するＵＥだけが任意の所与の時間に１つの周波数上で動作する能力を有すると想定してきた。
【０１６０】
なお、周波数とは、帯域内及び帯域間を含むキャリアを意味する。
【０１６１】
考察７：  Ｄ２Ｄ送受信機が、ＷＡＮ通信をサポートする全周波数上で稼働すると想定するべきではない。
【０１６２】
Ｄ２Ｄのもっとフレキシブルな利用を簡易化するために、ＣＡ可能ＵＥを周波数間Ｄｉｓｃｏｖｅｒｙのために検討してもよい。この場合、ＣＡ可能ＵＥは、ＰＣｅｌｌ上及びＳＣｅｌｌ上でＤｉｓｃｏｖｅｒｙ信号を同時に送信／モニターすることができる。したがって、Ｄ２Ｄ  Ｄｉｓｃｏｖｅｒｙ周波数がＵＥのサービングセル（つまり、ＰＣｅｌｌ又はＳＣｅｌｌ）の周波数の１つに属している限り、「Ｄｉｓｃｏｖｅｒｙモニタリングギャップ」は、かかるＵＥには不要である。
【０１６３】
考察８：  キャリアアグリゲーション可能ＵＥは、Ｄ２Ｄ  Ｄｉｓｃｏｖｅｒｙ周波数がＵＥのサービングセルの周波数の１つに属している限り、測定ギャップを割り当てずに周波数間Ｄｉｓｃｏｖｅｒｙを実施できる。
【０１６４】
（4.2.  選択肢３の詳細）
（4.2.1.  Ｄ２Ｄ  Ｄｉｓｃｏｖｅｒｙのハンドオーバ手順）
選択肢３は、主に、表１のプラン２又は３に適用可能である。つまり、セルラ周波数サポートＤ２Ｄ全てに適用可能ではない。この選択肢は、ハンドオーバはＤｉｓｃｏｖｅｒｙが開始される前に完了していると想定している。特に、Ｄ２Ｄ実施可能ＵＥが、Ｄ２Ｄ動作をサポートしていない周波数上でサービスを提供されている場合、ｅＮＢは、Ｄ２Ｄ許可周波数上で動作する対象セルにＵＥをハンドオーバさせるべきである。
【０１６５】
この考えは、シンプルであり、潜在的な利点は以下の通りである。
【０１６６】
Ｄ２Ｄ動作を許可しない周波数上に提供されるＳＩＢが、Ｄ２Ｄ関連情報、例えば、Ｄｉｓｃｏｖｅｒｙ受信リソースを一切含まない場合、上記周波数で在圏／サービスを提供されるＵＥは、異なる周波数上でＤｉｓｃｏｖｅｒｙ信号を送受信する方法を有さない。これは、独立型の小型セルの配備、例えば、図７のケースではあり得るシナリオである。なぜならば、非Ｄ２Ｄ動作セルは自身のＳＩＢ内のＤ２Ｄ関連情報を提供するべきか否かについての合意が現在なされていないからである。
【０１６７】
Ｄ２Ｄ  Ｄｉｓｃｏｖｅｒｙリソースが、Ｄ２Ｄをサポートしていないセル用のＳＩＢ内に提供されている場合、該セルが、いずれのＤ２Ｄ動作もサポートしていないため、該セルは、Ｔｙｐｅ−２ＢのＤｉｓｃｏｖｅｒｙリソースをＵＥに割り当てることができない。
【０１６８】
考察９：  ＵＥのサービングセルの周波数が、Ｄ２Ｄ動作を許可していない場合、ＵＥは、Ｄ２Ｄ  Ｄｉｓｃｏｖｅｒｙを開始する機会を失い得る。
【０１６９】
しかしながら、以下に述べる欠点が幾つかある。
【０１７０】
複数の周波数が、Ｄ２Ｄ動作をサポートする場合、選択肢３は、選択肢１又は選択肢２と組み合わされるべきである。
【０１７１】
全てのＤ２Ｄ可能ＵＥが、Ｄ２Ｄ動作をサポートする限定された周波数上でサービスを提供される場合、周波数上で渋滞が生じる場合がある。
【０１７２】
（4.2.2.  生じ得る問題）
（4.2.2.1.  Ｄｉｓｃｏｖｅｒｙのためのハンドオーバのトリガ）
全てのＤ２Ｄ可能ＵＥが、同じセル上、例えば、表１のプラン３でサービスを提供されている場合、セルは、渋滞に巻き込まれたり、例えば、複数の周波数の配備によってもたらされるＷＡＮ通信の負荷をバランス化する機会が少なくなったりする場合がある。この問題を避けるため、Ｄ２Ｄ可能ＵＥの一部であるＤ２Ｄ実施可能ＵＥだけが、Ｄ２Ｄ許可セルへハンドオーバされると考えられるべきであり、ＵＥが、Ｄ２Ｄを実施することができない場合、Ｄ２Ｄ不能ＵＥが、セルに留まるか、又は他のセルへハンドオーバされるか、セル内の現在の負荷等に基づいて決定され、これは、ｅＮＢの実装次第である。
【０１７３】
考察１０：  ＵＥが、Ｄ２Ｄの機能性を有効化する場合、ｅＮＢは、ＵＥをＤｉｓｃｏｖｅｒｙ許可セルにハンドオーバしてもよい。
【０１７４】
ＳＡ１のＴＲによれば、Ｄｉｓｃｏｖｅｒｙメカニズムは、ユーザにより以下の通り有効化／無効化できる。
【０１７５】
５.１.１.５  潜在的な必要条件  一般  ［ＰＲ．１］オペレータ方針及びユーザの選択に応じて、例えば、直接無線信号を用いて、又はオペレータのネットワークを介して、２つのＰｒｏＳｅ実施可能ＵＥの近接が判定される。  […]  ［ＰＲ．３］オペレータ方針及びユーザの選択により、以下のＰｒｏＳｅメカニズムを設定することができる。  […]  他のＵＥによって発見される能力を無効にし、他のＵＥを発見する能力を無効にする、ＰｒｏＳｅ実施可能ＵＥ  […]  ［ＰＲ．９７］個々のＰｒｏＳｅメカニズムを無効、又は制限するオペレータ方針は、いかなるユーザの選択をも無効にするものとする。  […]
【０１７６】
したがって、ＵＥが、Ｄｉｓｃｏｖｅｒｙの機能性を有効化するか否かは、ユーザの嗜好に依存する。我々の想定は、Ｄ２Ｄ可能ＵＥが、ユーザインターフェイスをサポートし、ユーザにＤｉｓｃｏｖｅｒｙの機能性の有効化／無効化を許可する、というものである。
【０１７７】
考察１１：  ＵＥがＤｉｓｃｏｖｅｒｙの機能性を有効化するか否かはユーザの嗜好に依存する。
【０１７８】
この場合、ｅＮＢは、ＵＥが自身のＤｉｓｃｏｖｅｒｙの機能を有効化するか否かを知る能力を有するべきである。このユースケースは、既存のＭＢＭＳの興味通知の概念と類似している。したがって、我々は、周波数間ハンドオーバを引き起こすＭＢＭＳのような解決策、つまり、「Ｄ２Ｄ興味通知」を導入することを前提とする。
【０１７９】
提案７：  ＵＥが、自身のＤｉｓｃｏｖｅｒｙの機能性を有効化／無効化する場合、ＵＥは、ｅＮＢに通知する能力を有するべきである。
【０１８０】
（4.2.2.2.  アイドル（IDLE）状態におけるＤｉｓｃｏｖｅｒｙ）
セクション４.２.２.１で提案した方法は、ＲＲＣ接続中のＵＥにとって有用であるが、アイドル状態のＵＥにとって有用ではない。ＩＤＬＥ  ＵＥは、Ｄ２Ｄ  Ｄｉｓｃｏｖｅｒｙが可能になる前に、ＣＯＮＮＥＣＴＥＤに遷移し、Ｄ２Ｄ興味通知を送信し、Ｄ２Ｄ可能セルにハンドオーバする必要があるだろう。
【０１８１】
ＵＥが、Ｄ２Ｄ  Ｄｉｓｃｏｖｅｒｙ信号を送受信する場合と同様の効率性を得るため、ＩＤＬＥ  ＵＥは、再選択手順の一部として、Ｄ２Ｄ周波数を優先することを許可されるべきである。現在、再選択に対する周波数の優先度は、ｅＮＢによって決定されるが、ＩＤＬＥ  ＵＥが、Ｄ２Ｄに興味がある場合、ＩＤＬＥ  ＵＥが、Ｄ２Ｄ周波数を優先することを可能にするべきである。この考えは、ＭＢＭＳに興味があるＩＤＬＥ  ＵＥが、再選択のためにＭＢＭＳ周波数を優先する許可を与えられている現在のＭＢＭＳ挙動（behaviour）と類似している。
【０１８２】
提案８：  Ｄ２Ｄ実施可能であるＩＤＬＥ  ＵＥは、再選択のためにＤ２Ｄ周波数を優先することを許可されるべきである。
【０１８３】
提案２及び提案８が、合意可能である場合、ＩＤＬＥ  ＵＥは、自身のサービングセルのＳＩＢ内に提供されたＤ２Ｄ情報に基づいて、Ｄ２Ｄ周波数を優先してもよい。
【０１８４】
（4.3.  選択肢の比較）
まとめとして、表２に示す通り、選択肢（Alternative）の比較を提示する。
【０１８５】
【表２】
2015170729.tif 000004
【０１８６】
提案９：  ＲＡＮ２では、上記（複数の）選択肢の１つ以上をＲｅｌ‐１２において採用し、周波数間Ｄｉｓｃｏｖｅｒｙをサポートするべきかどうかを検討するべきである。
【０１８７】
［相互参照］
米国仮出願第６１／９９０９３６号（２０１４年５月９日出願）の全内容が参照により本願明細書に組み込まれている。
【産業上の利用可能性】
【０１８８】
本発明は、通信分野において有用である。
【図１】
2015170729.tif 000005
【図２】
2015170729.tif 000006
【図３】
2015170729.tif 000007
【図４】
2015170729.tif 000008
【図５】
2015170729.tif 000009
【図６】
2015170729.tif 000010
【図７】
2015170729.tif 000011
【図８】
2015170729.tif 000012
【図９】
2015170729.tif 000013
【図１０】
2015170729.tif 000014
【図１１】
2015170729.tif 000015
【図１２】
2015170729.tif 000016
【図１３】
2015170729.tif 000017
【図１４】
2015170729.tif 000018
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
Ｄ２Ｄ近傍サービスをサポートする移動通信システムにおいて、第１周波数で運用されている第１セルに在圏するユーザ端末であって、
前記第１セルを形成する基地局に対して、前記Ｄ２Ｄ近傍サービスに興味がある旨を示すＤ２Ｄ興味通知を送信する送信部を備え、
前記Ｄ２Ｄ興味通知の送信は、前記第１周波数で運用されている前記第１セル及び第２周波数で運用されている第２セルのうち前記ユーザ端末が前記Ｄ２Ｄ近傍サービスを受けるために動作するセルを前記基地局が判断することを可能とし、
前記Ｄ２Ｄ近傍サービスは、前記第１セル及び前記第２セルの何れか１つに位置する他のユーザ端末を発見するためのＤ２Ｄ  Ｄｉｓｃｏｖｅｒｙを含み、
前記送信部は、前記第１セル及び前記第２セルのうちＤ２Ｄリソースを利用可能なセルにおいて他のユーザ端末に対して前記Ｄ２Ｄ  ＤｉｓｃｏｖｅｒｙのＤｉｓｃｏｖｅｒｙ信号をさらに送信することを特徴とするユーザ端末。
【請求項２】
前記送信部は、前記第２周波数で前記Ｄ２Ｄ近傍サービスが提供されている場合に、前記Ｄ２Ｄ興味通知を送信することを特徴とする請求項１に記載のユーザ端末。
【請求項３】
前記送信部は、前記第２周波数で運用されている前記第２セルにおいてＤ２Ｄリソースが利用可能である場合に、前記Ｄ２Ｄ興味通知を送信することを特徴とする請求項２に記載のユーザ端末。
【請求項４】
前記Ｄ２Ｄ近傍サービスが提供される前記第２周波数を示す情報を前記基地局から受信する受信部を備えることを特徴とする請求項２に記載のユーザ端末。
【請求項５】
前記受信部は、前記第２周波数で運用されている前記第２セルにおいてＤ２Ｄリソースが利用可能である旨を示す情報を含むＳＩＢを、前記基地局から受信する請求項４に記載のユーザ端末。
【請求項６】
前記第２周波数で前記Ｄ２Ｄ近傍サービスが提供されている場合に、前記第１周波数から前記第２周波数への遷移を指示するメッセージを前記基地局から受信する受信部を備えることを特徴とする請求項１に記載のユーザ端末。
【請求項７】
前記第２周波数で運用されている前記第２セルにおいてのみＤ２Ｄリソースが利用可能であり、
前記メッセージは、前記第２セルへの前記ユーザ端末のハンドオーバを行うためのハンドオーバコマンドであることを特徴とする請求項６に記載のユーザ端末。
【請求項８】
前記第１セル及び前記第２セルの何れか１つで前記Ｄ２Ｄ近傍サービスを受けることは、Ｄ２Ｄリソースの可用性を判断することを含むことを特徴とする請求項１に記載のユーザ端末。
【請求項９】
前記第２セルがＤ２Ｄリソースを提供しない場合、前記ユーザ端末は、前記基地局に対して前記Ｄ２Ｄ興味通知を送信した結果、前記第２セルへのハンドオーバコマンドを受信しないことを特徴とする請求項１に記載のユーザ端末。
【請求項１０】
前記Ｄ２Ｄリソースは、前記第２セルにおいてのみ提供されることを特徴とする請求項１に記載のユーザ端末。
【請求項１１】
前記ユーザ端末は、前記基地局からの補助無しで自身がＤ２Ｄ近傍サービスを行いたい他のユーザ端末を判断することを特徴とする請求項１に記載のユーザ端末。
【請求項１２】
前記基地局からＳＩＢを受信する受信部を備え、
前記ＳＩＢは、前記第２周波数で運用されている前記第２セルにおいて、他のユーザ端末を発見するためのＤ２Ｄ  Ｄｉｓｃｏｖｅｒｙに利用可能なＤ２Ｄリソースを示す情報を含み、
前記送信部は、前記ユーザ端末が前記Ｄ２Ｄ  Ｄｉｓｃｏｖｅｒｙに興味がある旨を示す前記Ｄ２Ｄ興味通知を前記基地局に送信することを特徴とする請求項１に記載のユーザ端末。
【請求項１３】
前記Ｄ２Ｄ興味通知は、前記Ｄ２Ｄ  ＤｉｓｃｏｖｅｒｙにおいてＤｉｓｃｏｖｅｒｙ信号を送信する際の所望周波数を示す情報を含み、
前記所望周波数を示す情報は、前記ＳＩＢに含まれていることを特徴とする請求項１２に記載のユーザ端末。
【請求項１４】
前記送信部は、前記Ｄ２Ｄリソースを利用可能な前記第２周波数において、前記Ｄ２Ｄ  ＤｉｓｃｏｖｅｒｙにおけるＤｉｓｃｏｖｅｒｙ信号を他のユーザ端末に送信することを特徴とする請求項１３に記載のユーザ端末。
【請求項１５】
Ｄ２Ｄ近傍サービスをサポートする移動通信システムのユーザ端末に備えられるプロセッサであって、
前記ユーザ端末が第１周波数で運用されている第１セルに在圏する場合に、前記第１セルを形成する基地局に対して、前記Ｄ２Ｄ近傍サービスに興味がある旨を示すＤ２Ｄ興味通知を送信する処理を行い、
前記Ｄ２Ｄ興味通知の送信は、前記第１周波数で運用されている前記第１セル及び第２周波数で運用されている第２セルのうち前記ユーザ端末が前記Ｄ２Ｄ近傍サービスを受けるために動作するセルを前記基地局が判断することを可能とし、
前記Ｄ２Ｄ近傍サービスは、前記第１セル及び前記第２セルの何れか１つに位置する他のユーザ端末を発見するためのＤ２Ｄ  Ｄｉｓｃｏｖｅｒｙを含み、
前記プロセッサは、前記第１セル及び前記第２セルのうちＤ２Ｄリソースを利用可能なセルにおいて他のユーザ端末に対して前記Ｄ２Ｄ  ＤｉｓｃｏｖｅｒｙのＤｉｓｃｏｖｅｒｙ信号をさらに送信する処理を行うことを特徴とするプロセッサ。
【国際調査報告】
2015170729.tif 000019
2015170729.tif 000020
2015170729.tif 000021
2015170729.tif 000022
2015170729.tif 000023
2015170729.tif 000024
2015170729.tif 000025
2015170729.tif 000026